(57)【要約】本出願は、パワー・ヘッドルーム・レポートを送信および受信するための方法およびデバイスを開示しており、そこではパワー・ヘッドルーム・レポートを送信するための方法は、ユーザ装置において、各キャリア成分に特有のパワー・ヘッドルーム・レポートを形成するステップと、パワー・ヘッドルーム・レポートを基地局に対して送信するステップとを備える。本出願によって開示される方法およびデバイスを実装することにより、完全なパワー・ヘッドルーム・レポーティング・メカニズムが、複数の新しい特徴を有するＬＴＥ−Ａシステムに対して提供されることが可能である。さらに、各キャリア成分に特有のパワー・ヘッドルーム・レポートを受信することにより、基地局は、さらに、効果的なリソース・スケジューリングを実行し、またワイヤレス・リンクの伝送品質を保証するために、どれだけ多くのリソース・ユニットが、ユーザ装置に割り付けられる必要があるかと、対応する変調および符号化のスキームとを導き出すことができる。
2013520044.tif 000002
【特許請求の範囲】
【請求項１】
パワー・ヘッドルーム・レポートを送信するための方法であって、
ユーザ装置において、各キャリア成分に特有のパワー・ヘッドルーム・レポートを形成するステップと、
前記パワー・ヘッドルーム・レポートを基地局に対して送信するステップと
を備える方法。
【請求項２】
前記パワー・ヘッドルーム・レポートは、前記キャリア成分の上で送信される物理アップリンク共有チャネルのパケット・データ・ユニットの中に含まれる、請求項１に記載の方法。
【請求項３】
前記パワー・ヘッドルーム・レポートを前記基地局に対して送信するステップは、各キャリア成分に特有の期間またはイベントに基づいてトリガされ、前記期間は、複数の伝送時間間隔、またはある種のタイマー値であり、また前記イベントは、前記以前のパワー・ヘッドルーム・レポートが送信されてから、前記ユーザ装置と前記基地局との間の伝送経路損失の変化が、ある種のあらかじめ決定された値を超過しており、または前記ユーザ装置が、あらかじめ決定された数のパワー制御コマンドを実行していることである、請求項１に記載の方法。
【請求項４】
前記パワー・ヘッドルーム・レポートは、物理アップリンク共有チャネルの送信パワーと、物理アップリンク制御チャネルの送信パワーとに関連した内容項目を備え、また前記内容項目は、
【数１】
2013520044.tif 000018
と
【数２】
2013520044.tif 000019
とを含み、Ｐｉ，ＣＭＡＸは、前記ｉ番目のキャリア成分によって許可される最大送信パワーを示し、
【数３】
2013520044.tif 000020
は、前記ｉ番目のキャリア成分の上の現在の物理アップリンク共有チャネルの送信パワーを示し、また
【数４】
2013520044.tif 000021
は、前記ｉ番目のキャリア成分の上の現在の物理アップリンク制御チャネルの送信パワーを示す、請求項１に記載の方法。
【請求項５】
パワー・ヘッドルーム・レポートを受信するための方法であって、
基地局において、ユーザ装置から各キャリア成分に特有のパワー・ヘッドルーム・レポートを受信するステップと、
前記受信されたパワー・ヘッドルーム・レポートに基づいて、前記各キャリア成分の上の物理アップリンク共有チャネルのパワー・スペクトル密度と残りのパワー・ヘッドルームとを決定するステップと
を備える方法。
【請求項６】
前記パワー・ヘッドルーム・レポートは、物理アップリンク共有チャネルの送信パワーと、物理アップリンク制御チャネルの送信パワーとに関連した内容項目を備え、また前記内容項目は、
【数５】
2013520044.tif 000022
と
【数６】
2013520044.tif 000023
とを含み、Ｐｉ，ＣＭＡＸは、前記ｉ番目のキャリア成分によって許可される最大送信パワーを示し、
【数７】
2013520044.tif 000024
は、前記ｉ番目のキャリア成分の上の現在の物理アップリンク共有チャネルの送信パワーを示し、また
【数８】
2013520044.tif 000025
は、前記ｉ番目のキャリア成分の上の現在の物理アップリンク制御チャネルの送信パワーを示す、請求項５に記載の方法。
【請求項７】
前記物理アップリンク共有チャネルの前記パワー・スペクトル密度と前記残りのパワー・ヘッドルームとに基づいて、前記各キャリア成分に割り付けられるべきリソース・ユニットの数と、変調および符号化のスキームとを決定するステップをさらに備える、請求項５に記載の方法。
【請求項８】
パワー・ヘッドルーム・レポートを送信するためのデバイスであって、
ユーザ装置において、各キャリア成分に特有のパワー・ヘッドルーム・レポートを形成するための形成モジュールと、
前記パワー・ヘッドルーム・レポートを基地局に対して送信するための送信モジュールと
を備えるデバイス。
【請求項９】
前記パワー・ヘッドルーム・レポートは、前記キャリア成分の上で送信される物理アップリンク共有チャネルのパケット・データ・ユニットの中に含まれる、請求項８に記載のデバイス。
【請求項１０】
前記送信モジュールは、各キャリア成分に特有の期間またはイベントに基づいて、前記パワー・ヘッドルーム・レポートを前記基地局に対して送信し、前記期間は、複数の伝送時間間隔、またはある種のタイマー値であり、また前記イベントは、前記以前のパワー・ヘッドルーム・レポートが送信されてから、前記ユーザ装置と前記基地局との間の伝送経路損失の変化が、ある種のあらかじめ決定された値を超過しており、または前記ユーザ装置が、あらかじめ決定された数のパワー制御コマンドを実行していることである、請求項８に記載のデバイス。
【請求項１１】
前記パワー・ヘッドルーム・レポートは、物理アップリンク共有チャネルの送信パワーと、物理アップリンク制御チャネルの送信パワーとに関連した内容項目を備え、また前記内容項目は、
【数９】
2013520044.tif 000026
と
【数１０】
2013520044.tif 000027
とを含み、Ｐｉ，ＣＭＡＸは、前記ｉ番目のキャリア成分によって許可される最大送信パワーを示し、
【数１１】
2013520044.tif 000028
は、前記ｉ番目のキャリア成分の上の現在の物理アップリンク共有チャネルの送信パワーを示し、また
【数１２】
2013520044.tif 000029
は、前記ｉ番目のキャリア成分の上の現在の物理アップリンク制御チャネルの送信パワーを示す、請求項８に記載のデバイス。
【請求項１２】
パワー・ヘッドルーム・レポートを受信するためのデバイスであって、
基地局において、ユーザ装置から各キャリア成分に特有のパワー・ヘッドルーム・レポートを受信するための受信モジュールと、
前記受信されたパワー・ヘッドルーム・レポートに基づいて、前記各キャリア成分の上の物理アップリンク共有チャネルのパワー・スペクトル密度と残りのパワー・ヘッドルームとを決定するための決定モジュールと
を備えるデバイス。
【請求項１３】
前記パワー・ヘッドルーム・レポートは、物理アップリンク共有チャネルの送信パワーと、物理アップリンク制御チャネルの送信パワーとに関連した内容項目を備え、また前記内容項目は、
【数１３】
2013520044.tif 000030
と
【数１４】
2013520044.tif 000031
とを含み、Ｐｉ，ＣＭＡＸは、前記ｉ番目のキャリア成分によって許可される最大送信パワーを示し、
【数１５】
2013520044.tif 000032
は、前記ｉ番目のキャリア成分の上の現在の物理アップリンク共有チャネルの送信パワーを示し、また
【数１６】
2013520044.tif 000033
は、前記ｉ番目のキャリア成分の上の現在の物理アップリンク制御チャネルの送信パワーを示す、請求項１２に記載のデバイス。
【請求項１４】
前記決定モジュールは、さらに、前記物理アップリンク共有チャネルの前記パワー・スペクトル密度と前記残りのパワー・ヘッドルームとに基づいて、前記各キャリア成分に割り付けられるべきリソース・ユニットの数と、変調および符号化のスキームとを決定するためのものである、請求項１３に記載のデバイス。
【発明の詳細な説明】
【技術分野】
【０００１】
本発明は、一般に、ワイヤレス通信システムに関し、より詳細には、パワー・ヘッドルーム・レポート（ｐｏｗｅｒ  ｈｅａｄｒｏｏｍ  ｒｅｐｏｒｔ）を送信および受信するための方法およびデバイスに関する。
【背景技術】
【０００２】
ワイヤレス通信システムにおいて、パワー制御は、重要な技術である。ワイヤレス通信システムにおける干渉を最小にすることは、通信品質が影響を受けないという条件で、各ユーザ装置（Ｕｓｅｒ  Ｅｑｕｉｐｍｅｎｔ）（ＵＥ）と、基地局（Ｂａｓｅ  Ｓｔａｔｉｏｎ）（ＢＳまたはｅＮＢ）との送信パワーを制御することによって達成されることが可能であり、それによってシステム容量を最大にしている。その上、パワー制御により、さらに、ユーザ装置は、より長いスタンバイ時間を有することができるようになる。
【０００３】
現在のところ、オープニング・ループと、クロージング・ループと（ｏｐｅｎｉｎｇ  ａｎｄ  ｃｌｏｓｉｎｇ  ｌｏｏｐｓ）を含むパワー制御は、ユーザ装置において実行される。そのようなパワー制御に基づいて、ユーザ装置は、パワー・ヘッドルーム・レポートを基地局に対して送信する必要があり、また受信されたパワー・ヘッドルーム・レポートに基づいて、基地局は、ユーザ装置において物理アップリンク共有チャネル（Ｐｈｙｓｉｃａｌ  Ｕｐｌｉｎｋ  Ｓｈａｒｅｄ  Ｃｈａｎｎｅｌ）（ＰＵＳＣＨ）によって使用されるパワー・スペクトル密度（Ｐｏｗｅｒ  Ｓｐｅｃｔｒａｌ  Ｄｅｎｓｉｔｙ）（ＰＳＤ）と、残りのパワー・ヘッドルームとを導き出す。次に、導き出されたパワー・スペクトル密度と、残りのパワー・ヘッドルームとを用いて、基地局は、どれだけ多くのリソース・ユニット（Ｒｅｓｏｕｒｃｅ  Ｕｎｉｔｓ）（ＲＵ）が、ユーザ装置に割り付けられることが可能であるかと、ユーザ装置によって使用されるようになっている変調および符号化のスキーム（Ｍｏｄｕｌａｔｉｏｎ  ａｎｄ  Ｃｏｄｉｎｇ  Ｓｃｈｅｍｅ）（ＭＣＳ）とを決定して、ユーザ装置と基地局との間のワイヤレス・リンクの上の期待された信号対干渉プラス雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ）（ＳＩＮＲ）を取得することを保証することができる。
【０００４】
第３世代パートナーシップ・プロジェクト（Ｔｈｉｒｄ  Ｇｅｎｅｒａｔｉｏｎ  Ｐａｒｔｎｅｒｓｈｉｐ  Ｐｒｏｊｅｃｔ）（３ＧＰＰ）のロング・ターム・エボリューション（Ｌｏｎｇ  Ｔｅｒｍ  Ｅｖｏｌｕｔｉｏｎ）（ＬＴＥ）において、前述のパワー・ヘッドルームは、ユーザ装置の許可された最大送信パワーと、ＰＵＳＣＨについての現在の送信パワーとの間の差として定義される。ＬＴＥ−Ａにおいては、複数のキャリア成分（Ｃａｒｒｉｅｒ  Ｃｏｍｐｏｎｅｎｔｓ）（ＣＣ）が、導入されるので、キャリア成分に特有のパワー制御、物理アップリンク制御チャネル（Ｐｈｙｓｉｃａｌ  Ｕｐｌｉｎｋ  Ｃｏｎｔｒｏｌ  Ｃｈａｎｎｅｌ）（ＰＵＣＣＨ）とＰＵＳＣＨとの同時伝送、１つまたは複数の電力増幅器などをサポートする新しい特徴が、出現している。それゆえに、ユーザ装置が、パワー・ヘッドルーム・レポートを基地局に対して送信することは、ＬＴＥ−リリース８に比べて、複雑になり、また現在では、新しく導入された特徴を考慮したパワー・ヘッドルーム・レポートは、存在していない。
【０００５】
さらに、第３世代パートナーシップ・プロジェクトの下のＲＡＮ１は、各キャリア成分に特有のＰＵＣＣＨおよびＰＵＳＣＨのパワー制御を実行することに同意しており、そこでは周波数分離に起因した経路損失を補償するためのＰＵＳＣＨパワー制御式は、次式：
【数１】
2013520044.tif 000003
のようである。
【０００６】
式中において、
−  
【数２】
2013520044.tif 000004
は、ｉ番目のキャリア成分の上のユーザ装置の最大送信パワーであり、
−  ＭＰＵＳＣＨ（ｉ）は、ｉ番目のキャリア成分に割り付けられるリソース・ユニットの数であり、
−  Ｐ０＿ＰＵＳＣＨ（ｉ）とαｉとは、ｉ番目のキャリア成分に特有のオープン・ループ・パワー制御パラメータであり、
−  ＰＬｉは、ｉ番目のキャリア成分についての推定された経路損失であり、
−  ＦＰＬ（Δｆｉ）は、アンカー・キャリア成分に対するｉ番目のキャリア成分についての周波数分離Δｆｉに起因した経路損失の差であり、
−  ΔＴＦ（ｉ）は、移送フォーマットに関するオフセットであり、
−  ｆ（Δｉ）は、クローズド・ループ・パワー制御コマンドの関数である。
【０００７】
ＰＵＣＣＨについての完全な補償は、次式：
【数３】
2013520044.tif 000005
を経由して計算されることが可能である。
【０００８】
式中において、
−  Ｐ０＿ＰＵＣＣＨ（ｉ）は、ｉ番目のキャリア成分に特有の、セル特有のパラメータと、ユーザ装置特有のパラメータとの合計であり、
−  ＰＬ（ｉ）は、ｉ番目のキャリア成分についての推定された経路損失であり、
−  ｈ（・）は、ＰＵＣＣＨフォーマットに関連したパラメータであり、
−  ΔＦ＿ＰＵＣＣＨ（・）は、ＰＵＣＣＨフォーマット１ａに対応するパラメータであり、
−  ｇ（ｉ）は、ｉ番目のキャリア成分の上のクローズド・ループ・パワー制御コマンドの関数である。
【０００９】
ＲＡＮ１＃５５ｂｉｓにおいては、ＬＴＥリリース８において現在行われている、ＰＵＳＣＨとＰＵＣＣＨとの間の時分割多重化（Ｔｉｍｅ  Ｄｉｖｉｓｉｏｎ  Ｍｕｌｔｉｐｌｅｘｉｎｇ）（ＴＤＭ）に加えて、ＬＴＥリリース１０はまた、同じキャリア成分の上のＰＵＣＣＨとＰＵＳＣＨとの同時伝送をサポートする。それゆえに、ユーザ装置の送信パワーは、２つのチャネルの間で共用される必要があり、その結果、ｉ番目のキャリア成分の上の総送信パワーは、以下の式：
【数４】
2013520044.tif 000006
によって表されるように、２つのチャネルの、すなわちＰＵＳＣＨとＰＵＣＣＨとの送信パワーの合計に等しくなる。
【００１０】
式中において、
【数５】
2013520044.tif 000007
は、ｉ番目のキャリア成分の上のユーザ装置の総送信パワーであり、
【数６】
2013520044.tif 000008
は、ｉ番目のキャリア成分の上のＰＵＳＣＨの送信パワーであり、また
【数７】
2013520044.tif 000009
は、ｉ番目のキャリア成分の上のＰＵＣＣＨの送信パワーである。
【００１１】
上記式（３）に基づいて、パワー・ヘッドルーム・レポートに関連した多数の既存の技術的解決法は、基地局が、ＰＵＳＣＨとＰＵＣＣＨとの間でパワーを割り付けるために使用される標準化されたルールを知っているので、それらが、以下の式：
【数８】
2013520044.tif 000010
を経由して計算されるパワー・ヘッドルーム・レポートを基地局に対して送信するように提案することを提示する。
【００１２】
式中において、
【数９】
2013520044.tif 000011
は、ｉ番目のキャリア成分の上のパワー・ヘッドルームであり、またＰｉ，ＣＭＡＸは、ｉ番目のキャリア成分の上の最大の許可された送信パワーである。しかしながら、ユーザ装置において導き出されるパワー・スペクトル密度は、オープン・ループ・パワー制御に基づいているだけでなく、クローズド・ループ・パワー制御コマンドの関数にも基づいており、また基地局によって送信されるクローズド・ループ・パワー制御コマンドは、正しくない可能性がある（例えば、ユーザ装置においてクローズド・ループ・パワー制御コマンドを復号するときに、エラーが起こり、またはクローズド・ループ・パワー制御コマンドの信号は、正しく検出されることが可能でない）。それゆえに、既存の技術的解決法においては、基地局は、最終的なパワー・ヘッドルーム値を含むパワー・ヘッドルーム・レポートを受信するだけであり、またｉ番目のキャリア成分の上のＰＵＳＣＨとＰＵＣＣＨとによって使用されるパワー値を受信しないので、基地局が、ユーザ装置においてＰＵＳＣＨによって使用されるパワー・スペクトル密度と、残りのパワー・ヘッドルームとを導き出すことは不可能であり、またさらに、どれだけ多くのリソース・ユニットが、キャリア成分に割り付けられる必要があるかを正確に決定することは、不可能であり、またそれによって、正確なリソースのスケジューリングおよび割付けを達成することは不可能である。
【００１３】
したがって、パワー・ヘッドルーム・レポートを送信および受信するための方法およびデバイスは、ＬＴＥ−Ａにおいて導入される複数の新しい特徴（例えば、複数のキャリア成分と、１つのキャリア成分の上のＰＵＣＣＨとＰＵＳＣＨとの同時伝送と、１つまたは複数の電力増幅器と）についての完全なパワー・ヘッドルーム・レポーティング・メカニズムを提供するために必要とされる。パワー・ヘッドルーム・レポーティング・メカニズムに基づいて、基地局は、効果的にリソースの割付けおよびスケジューリングを実行して、期待された伝送品質を達成することができる。
【発明の概要】
【発明が解決しようとする課題】
【００１４】
先行技術の中に存在する上記問題を考慮して、本発明は、以下のように新しい解決法を提供している。
【課題を解決するための手段】
【００１５】
本発明の一態様によれば、ユーザ装置において、各キャリア成分に特有のパワー・ヘッドルーム・レポートを形成するステップと、そのパワー・ヘッドルーム・レポートを基地局に対して送信するステップとを備える、パワー・ヘッドルーム・レポートを送信するための一方法が、提供されている。
【００１６】
パワー・ヘッドルーム・レポートは、キャリア成分の上で送信される物理アップリンク共有チャネルのパケット・データ・ユニットの中に含まれることが好ましい。
【００１７】
パワー・ヘッドルーム・レポートを基地局に対して送信するステップは、各キャリア成分に特有の期間またはイベントに基づいてトリガされることが好ましい。
【００１８】
さらに、その期間は、複数の伝送時間間隔、またはある種のタイマー値であることが好ましい。
【００１９】
さらに、そのイベントは、以前のパワー・ヘッドルーム・レポートが送信されてから、ユーザ装置と基地局との間の伝送経路損失の変化が、ある種のあらかじめ決定された値を超過しており、またはユーザ装置は、あらかじめ決定された数のパワー制御コマンドを実行していることであることが好ましい。
【００２０】
パワー・ヘッドルーム・レポートは、物理アップリンク共有チャネルの送信パワーと、物理アップリンク制御チャネルの送信パワーとに関連した内容項目を含んでいることが好ましい。
【００２１】
本発明の別の態様によれば、基地局において、ユーザ装置から各キャリア成分に特有のパワー・ヘッドルーム・レポートを受信するステップと、その受信されたパワー・ヘッドルーム・レポートに基づいて、各キャリア成分の上の物理アップリンク共有チャネルのパワー・スペクトル密度と残りのパワー・ヘッドルームとを決定するステップとを備える、パワー・ヘッドルーム・レポートを受信するための一方法が、提供されている。
【００２２】
本方法は、物理アップリンク共有チャネルのパワー・スペクトル密度と残りのパワー・ヘッドルームとに基づいて、各キャリア成分に割り付けられるべきリソース・ユニットの数と、変調および符号化のスキームとを決定するステップをさらに備えることが好ましい。
【００２３】
本発明の一態様によれば、ユーザ装置において、各キャリア成分に特有のパワー・ヘッドルーム・レポートを形成するための形成モジュールと、そのパワー・ヘッドルーム・レポートを基地局に対して送信するための送信モジュールとを備える、パワー・ヘッドルーム・レポートを送信するためのデバイスが、提供されている。
【００２４】
本発明の別の態様によれば、基地局において、ユーザ装置から各キャリア成分に特有のパワー・ヘッドルーム・レポートを受信するための受信モジュールと、その受信されたパワー・ヘッドルーム・レポートに基づいて、各キャリア成分の上の物理アップリンク共有チャネルのパワー・スペクトル密度と残りのパワー・ヘッドルームとを決定するための決定モジュールとを備える、パワー・ヘッドルーム・レポートを受信するためのデバイスが、提供されている。
【００２５】
本発明によって提供されるような方法およびデバイスを実装することにより、完全なパワー・ヘッドルーム・レポーティング・メカニズムが、複数の新しい特徴（例えば、複数のキャリア成分と、１つのキャリア成分の上のＰＵＣＣＨとＰＵＳＣＨとの同時伝送と、１つまたは複数の電力増幅器と）を有するＬＴＥ−Ａシステムに対して提供されることが可能である。さらに、各キャリア成分に特有のパワー・ヘッドルーム・レポートを受信することにより、基地局は、どれだけ多くのリソース・ユニットが、ユーザ装置に割り付けられる必要があるかと、対応する変調および符号化のスキームとを正しく導き出して、効果的なリソース・スケジューリングを実行し、またワイヤレス・リンクの伝送品質を保証することができる。
【００２６】
本発明の、他の特徴、目的および利点は、添付図面と併せて非限定的な実施形態についての以下の詳細な説明を参照することにより、もっと明らかになるであろう。添付図面において、同じ、また類似した参照符号は、同じ、または類似したデバイスまたは方法ステップを表している。
【図面の簡単な説明】
【００２７】
【図１】本発明による一方法が適用されることが可能であるワイヤレス通信システムを示す概略図である。
【図２】本発明の一実施形態による、パワー・ヘッドルーム・レポートを送信するための方法を例示的に示す簡略化されたフローチャートである。
【図３】本発明の一実施形態による、パワー・ヘッドルーム・レポートの伝送を示す概略図である。
【図４】本発明の一実施形態による、パワー・ヘッドルーム・レポートを受信するための一方法を例示的に示す簡略化されたフローチャートである。
【図５】本発明の一実施形態による、パワー・ヘッドルーム・レポートを送信するためのデバイスを例示的に示す簡略化されたブロック図である。
【図６】本発明の一実施形態による、パワー・ヘッドルーム・レポートを受信するためのデバイスを例示的に示す簡略化されたブロック図である。
【発明を実施するための形態】
【００２８】
本発明の実施形態は、添付図面を参照することにより、以下で詳細に説明されることになる。
【００２９】
参照が、先ず図１に対して行われ、ここでは、本発明による一方法が、適用されることが可能であるワイヤレス通信システムが、示されている。ワイヤレス通信システムは、例えば、３ＧＰＰ  ＬＴＥ−Ａシステムとすることができる。図１に示されるように、基地局と、ユーザ装置とは、ユーザ装置が、アップリンク（ＵＬ）方向に基地局に対して（各キャリア成分に特有であり、また以下で詳細に説明されることになる）パワー・ヘッドルーム・レポートを送信するステップ、その間にワイヤレス・アクセス・サービスを提供する基地局が、ユーザ装置によって送信されるパワー・ヘッドルーム・レポートを受信した後に、基地局とユーザ装置との間のワイヤレス・リンクの期待された信号対干渉プラス雑音比を保証するために、それによってユーザ装置に割り付けられるべきリソース・ユニットの数と、対応する変調および符号化のスキームを決定するために、受信されたパワー・ヘッドルーム・レポートに基づいてユーザ装置のパワー・スペクトル密度と残りのパワーとを決定するステップを含む、本発明の一方法によるワイヤレス通信を実行する。次に、基地局は、ダウンリンク（ＤＬ）方向に、リソース・ユニットの決定された数と、対応する変調および符号化のスキームをユーザ装置に対して送信する。図示されたワイヤレス通信システムは、例示的なものにすぎず、その目的は、本発明の原理を説明するためのものであることを指摘する必要がある。さらに、本発明の原理を不必要にあいまいにしないようにするために、本発明の方法に無関係であるが、ワイヤレス通信に対して必須であるネットワークの要素、コンポーネント、および対応するワイヤレス通信処理プロシージャは、省略されている。
【００３０】
図２は、本発明による、パワー・ヘッドルーム・レポートを送信するための一方法を例示的に示す簡略化されたフローチャートである。ステップ２００において、各キャリア成分に特有のパワー・ヘッドルーム・レポートは、ユーザ装置において形成される。本発明においては、各キャリア成分に特有のパワー・ヘッドルーム・レポートを形成することは、各キャリア成分に特有の前述のオープン・ループ式と、クローズド・ループ・パワー制御コマンドの関数とに基づいて、各キャリア成分の上で、キャリア成分に特有のパワー・スペクトル密度を形成することを考慮することにある。基地局が、サーブされたユーザ装置の各キャリア成分の上のＰＵＳＣＨに割り付けられるリソース・ユニットの数を決定することができるようにするために、各キャリア成分についてのパワー・ヘッドルーム・レポートは、基地局に対して送信されるべきである。
【００３１】
各キャリア成分に特有のパワー・ヘッドルーム・レポートは、キャリア成分の上のＰＵＳＣＨの上で送信されるパケット・データ・ユニット（Ｐａｃｋｅｔ  Ｄａｔａ  Ｕｎｉｔ）（ＰＤＵ）の中に含まれることが好ましい。
【００３２】
ユーザ装置が、ｉ番目のキャリア成分の上でＰＵＣＣＨとＰＵＳＣＨとを同時に送信するときに、ユーザ装置において形成されるｉ番目のキャリア成分に特有のパワー・ヘッドルーム・レポートは、ｉ番目のキャリア成分によって許可される最大送信パワーと、ｉ番目のキャリア成分の上の現在のＰＵＳＣＨとＰＵＣＣＨとの送信パワーとに関する可能性がある。例えば、ｉ番目のキャリア成分では、
【数１０】
2013520044.tif 000012
であり、次いで、ユーザ装置において形成されるｉ番目のキャリア成分に特有のパワー・ヘッドルーム・レポートの内容項目は、以下：
【数１１】
2013520044.tif 000013
のように表されることが可能である。
【００３３】
上記の例示の内容項目から、本発明は、既存の技術的解決法のような式（４）としてのただ１つの内容項目を送信しないが、ｉ番目のキャリア成分に特有のパワー・ヘッドルーム・レポートの中の２つの項目の形でＰＵＳＣＨとＰＵＣＣＨとについての送信パワー状況をそれぞれ送信し、すなわち、本発明によって提供されるパワー・ヘッドルーム・レポートは、ＰＵＳＣＨの送信パワーと、ＰＵＣＣＨの送信パワーとに関連した内容項目を含んでいて、それによって既存の技術的解決法の中に存在する欠点を克服するが、基地局は、パワー・ヘッドルーム・レポートに基づいて正しいリソースの割付けまたはスケジューリングを実行することができることが、分かる。
【００３４】
さらに、ユーザ装置は、現在のところ、ｉ番目のキャリア成分の上でＰＵＳＣＨを送信することだけができるが、ユーザ装置において形成されるｉ番目のキャリア成分に特有のパワー・ヘッドルーム・レポートはまた、ｉ番目のキャリア成分によって許可される前述の最大送信パワーと、ｉ番目のキャリア成分の上の現在のＰＵＳＣＨの送信パワー、および可能性のあるＰＵＣＣＨの送信パワーとにも関する可能性があることを指摘する必要がある。したがって、ＰＵＳＣＨとＰＵＣＣＨとが同時に存在するときに、上記に類似したパワー・ヘッドルーム・レポートが、基地局に対して送信されるときに、基地局は、ＰＵＳＣＨとＰＵＣＣＨとの上でデータを送信するときに、将来において使用するための正しいリソースの割付けまたはスケジューリングを実行することができる。
【００３５】
次に図２のフローチャートに戻ると、ステップ２１０において、パワー・ヘッドルーム・レポートが、基地局に対して送信される。
【００３６】
基地局に対してパワー・ヘッドルーム・レポートを送信するステップは、各キャリア成分に特有の期間またはイベントに基づいてトリガされることが好ましい。ここで、その期間は、例えば、ミリ秒の単位の複数の伝送時間間隔またはタイマー値とすることができるが、イベントは、例えば、以前のパワー・ヘッドルーム・レポートが送信されてから、ユーザ装置と基地局との間の伝送経路損失の変化が、ある種のあらかじめ決定された値を超過しており、またはユーザ装置が、あらかじめ決定された数のパワー制御コマンドを実行していることとすることができる。
【００３７】
図３は、本発明の実施形態による、パワー・ヘッドルーム・レポートの伝送を例示的に示す概略図である。図３に示されるように、ユーザ装置は、複数のキャリア成分を、例えば、ＣＣ１、ＣＣ２...ＣＣｎを割り付けられ、そこで各キャリア成分は、それ自体に特有のトリガ（定期的またはイベント）を、例えば、トリガ１、トリガ２...トリガｎを有するが、特定のパワー・ヘッドルーム・レポートは、各キャリア成分について、例えば、図３に示されるＰＨ１、ＰＨ２...ＰＨｎについて形成され、また各パワー・ヘッドルーム・レポートＰＨ１、ＰＨ２...ＰＨｎは、上記で述べられる様々な内容項目を含んでいる。対応するＰＵＳＣＨの上で、パケット・データ・ユニットに含まれるパワー・ヘッドルーム・レポートは、基地局に対して送信される。例えば、ＰＨ１は、ＰＵＳＣＨ１の上で送信され、ＰＨ２は、ＰＵＳＣＨ２の上で送信され、...ＰＨｎは、ＰＵＳＣＨｎの上で送信される。
【００３８】
図４は、本発明の一実施形態による、パワー・ヘッドルーム・レポートを受信するための一方法を例示的に示すフローチャートである。ここでは、ステップ４１０において、各キャリア成分に特有のパワー・ヘッドルーム・レポートは、基地局においてユーザ装置から受信される。次に、ステップ４２０において、各キャリア成分の上の物理アップリンク共有チャネルのパワー・スペクトル密度と残りのパワー・ヘッドルームとは、受信されたパワー・ヘッドルーム・レポートに基づいて決定される。決定プロセスは、以下で詳細に説明されることになる。
【００３９】
ｉ番目のキャリア成分によって許可される最大送信パワーに関連した前述のパワー・ヘッドルーム・レポートと、ｉ番目のキャリア成分の上の現在のＰＵＳＣＨとＰＵＣＣＨとの送信パワー（または可能性のあるＰＵＣＣＨの送信パワー）とを受信した後に、基地局は、
【数１２】
2013520044.tif 000014
と、
【数１３】
2013520044.tif 000015
とを決定し、また残りのパワー・ヘッドルームが、
【数１４】
2013520044.tif 000016
であることを決定することができる。次に、ユーザ装置におけるＰＵＳＣＨの上のパワー・スペクトル密度は、下記の計算：
【数１５】
2013520044.tif 000017
によって取得されることが可能である。
【００４０】
上記式において、リソース・ユニットの数Ｍは、４として仮定される。さらに、基地局は、以下の式：
１０＊ｌｏｇ１０（Ｍ’）＝Ｐｉ，ＭＡＸ＿ＰＳＤｉ    （６）
に基づいて、ユーザ装置に割り付けられるべき、ｉ番目のキャリア成分のリソース・ユニットの数Ｍ’を決定することができる。
【００４１】
加えて、基地局は、さらに、ユーザ装置によって送信されるパワー・ヘッドルーム・レポートに基づいて適切な変調および符号化のスキームを決定することができる。特に、基地局は、導き出されたパワー・スペクトル密度ＰＳＤｉと、測定されたチャネル品質とに基づいてＰＵＳＣＨの信号対干渉プラス雑音比を取得して、それによってユーザ装置によって使用されるべき、また信号対干渉プラス雑音比に対応する変調および符号化のスキームを決定する。
【００４２】
上記式の計算と、数値とは、単に例示的なものにすぎず、またそれらの目的は、本発明の原理を説明するためのものであることを指摘することが必要である。本発明の原理を不必要にあいまいにしないようにするために、また説明を簡単にするために、当業者によく知られている概念、式、計算のプロセスまたはステップは、本明細書において省略される。
【００４３】
図５は、本発明の一実施形態による、パワー・ヘッドルーム・レポートを送信するためのデバイス５００を示す簡略化されたブロック図である。図５に示されるように、デバイス５００は、形成モジュール５１０と、送信モジュール５２０とを備え、そこでは、形成モジュール５１０は、ユーザ装置において、各キャリア成分に特有のパワー・ヘッドルーム・レポートを形成するためのものであり、また詳細な形成プロセスは、図２を参照して上記説明について言及することができるが、送信モジュール５２０は、パワー・ヘッドルーム・レポートを基地局に対して送信するためのものである。
【００４４】
図６は、本発明の一実施形態による、パワー・ヘッドルーム・レポートを受信するためのデバイス６００を例示的に示す簡略化されたブロック図である。図６に示されるように、デバイス６００は、受信モジュール６１０と、決定モジュール６２０とを備え、そこでは受信モジュール６１０は、基地局において、ユーザ装置から各キャリア成分に特有のパワー・ヘッドルーム・レポートを受信するためのものであるが、決定モジュール６２０は、受信されたパワー・ヘッドルーム・レポートに基づいて各キャリア成分の上の物理アップリンク共有チャネルのパワー・スペクトル密度と残りのパワー・ヘッドルームとを決定するためのものであり、また詳細な決定プロセスは、図４を参照して上記説明について言及することができる。
【００４５】
ＬＴＥ−Ａワイヤレス通信システムは、ここでは本発明を説明する一例として解釈されるが、本発明は、ユーザ装置側においてパワー制御を実行し、また複数のキャリア成分を有する任意のワイヤレス通信システムにおいて適用されることが可能である。さらに、本発明によれば、１つまたは複数の電力増幅器が、ＬＴＥ−Ａにおいて存在する状況では、キャリア成分に特有のパワー・ヘッドルーム・レポートは、キャリア成分に特有の最大送信パワーと、キャリア成分の上で使用されるパワーとの間の差に関連しているが、キャリア成分に特有の最大送信パワーは、ユーザ装置の総送信パワーに関連づけられておらず、またそれゆえに、基地局が、リソース・スケジューリングを実行するときには、すべてのキャリア成分の上の最大送信パワーの合計は、ユーザ装置の総送信パワーを超過すべきではないことに注意する必要があるだけである。すなわち、本発明において、キャリア成分に特有のパワー・ヘッドルーム・レポーティング・メカニズムを形成することは、１つまたは複数の電力増幅器によって影響を受けない。
【００４６】
本発明の実施形態は、添付の図面を参照して上記で説明されている。本発明の理解を容易にするために、当業者によく知られており、また本発明を実装するために必要な可能性のあるいくつかのより具体的な技術的詳細は、上記説明においては省略されていることに注意すべきである。
【００４７】
本発明は、完全なハードウェアの実施形態、完全なソフトウェアの実施形態、またはそれらの両方のうちの一形態を使用することができる。好ましい実施形態においては、本発明は、それだけに限定されることなく、ファームウェア、常駐ソフトウェア、マイクロ・コードなどを含めて、ソフトウェアとして実装される。
【００４８】
本発明の明細書は、開示された形態のように、本発明を網羅すること、または限定することではなくて、説明および記述の目的のために提供される。多数の修正および変更は、当業者にとって明らかであろう。
【００４９】
したがって、実施形態を選択すること、および説明することは、本発明の原理および実際のアプリケーションについてよりよく説明するためであり、また当業者が、本発明の本質を逸脱することなく、すべての修正および変更が、特許請求の範囲によって定義される、本発明の保護範囲に含まれることを理解することができるようにするためである。
【図１】
2013520044.tif 000034
【図２】
2013520044.tif 000035
【図３】
2013520044.tif 000036
【図４】
2013520044.tif 000037
【図５】
2013520044.tif 000038
【図６】
2013520044.tif 000039
【国際調査報告】
2013520044.tif 000040
2013520044.tif 000041
2013520044.tif 000042
2013520044.tif 000043
2013520044.tif 000044
2013520044.tif 000045